(57)【要約】【課題】装置本体内のスペースを削減して装置全体を小型化するとともに、製造コストを低減することにある。【解決手段】ベルト５８を周回走行させて読取部２４に対して副方向（矢印Ｙ方向）への搬送力を付与する回転駆動源５０と、前記回転駆動源５０の駆動作用下に下降する読取部２４に係合することにより、ピン５５を支点として所定角度傾動するアーム部材４３の傾動動作を伝達シャフト４５を介してブッキー機構３５に伝達し、グリッド３４を矢印Ｘ方向に沿って動作させる駆動力伝達機構５１とを備える。【選択図】図２
2004117951.tif 000002
【特許請求の範囲】
【請求項１】
画像記録担体に対して主方向に光ビームを照射し、前記画像記録担体から画像情報を得る読取部と、該画像記録担体に画像情報を記録する記録部と、前記読取部を前記主方向と略直交する副方向に搬送する搬送部とを有する画像形成装置であって、
前記搬送部に設けられ、前記読取部に対して副方向への搬送力を付与する駆動手段と、
前記駆動手段の駆動力をブッキー機構に対して伝達する駆動力伝達機構と、
を備えることを特徴とする画像形成装置。
【請求項２】
請求項１記載の装置において、
前記駆動力伝達機構は、副方向に変位する読取部に係合することにより、支点を中心として所定角度傾動する傾動部材と、前記傾動部材に連結され該傾動部材の傾動動作をブッキー機構に伝達する連結部材とを含むことを特徴とする画像形成装置。
【請求項３】
画像記録担体に対して主方向に光ビームを照射し、前記画像記録担体から画像情報を得る読取部と、該画像記録担体に画像情報を記録する記録部と、前記読取部を前記主方向と略直交する副方向に搬送する搬送部とを有する画像形成装置であって、
前記搬送部に設けられ、変位部材に対して副方向への搬送力を付与する駆動手段と、
前記変位部材の変位作用下に該変位部材に追従して副方向に沿って変位する読取部と、
前記読取部が所定位置に到達した際、該読取部の変位を規制するストッパ手段と、
前記ストッパ手段によって前記読取部の変位が規制された後、前記変位部材が該読取部から離間する方向に変位することにより、前記駆動手段の駆動力をブッキー機構に対して伝達する駆動力伝達機構と、
を備えることを特徴とする画像形成装置。
【請求項４】
請求項３記載の装置において、
前記駆動力伝達機構は、副方向に変位する変位部材に係合することにより、支点を中心として所定角度傾動する傾動部材と、前記傾動部材に連結され該傾動部材の傾動動作をブッキー機構に伝達する連結部材とを含むことを特徴とする画像形成装置。
【発明の詳細な説明】
【０００１】
【発明の属する技術分野】
本発明は、画像記録担体に対して主方向に光ビームを照射し、前記画像記録担体から画像情報を得る読取部と、該画像記録担体に画像情報を記録する記録部とを備えた画像形成装置に関する。
【０００２】
【従来の技術】
例えば、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）が知られている。この種の蓄積性蛍光体を利用して、人体等の被写体の放射線画像情報を写真感光材料等に再生し、あるいはＣＲＴ等に可視像として出力させるシステムが採用されている。
【０００３】
具体的には、人体等の被写体の放射線画像情報をシート状の蓄積性蛍光体層を備えた蓄積性蛍光体シート（画像記録担体）に一旦記録し、この蓄積性蛍光体シートにレーザ光等の励起光（光ビーム）を照射することにより輝尽発光光を発生させた後、この輝尽発光光を光電的に読み取って得られた画像信号に基づいて、写真感光材料等の記録媒体やＣＲＴ等の表示装置に被写体の放射線画像情報を可視像として出力（再生）させる種々の画像形成装置が採用されている。
【０００４】
上記の画像形成装置として、例えば、被写体の放射線画像情報を画像記録担体に記録するための記録部と、前記画像記録担体に励起光を照射して前記放射線画像情報を光電的に読み取る読取部とを備えた画像情報記録読取装置が用いられている。
【０００５】
この場合、前記記録部は、装置本体に内蔵されるとともに、通常、散乱放射線を除去または減少させる散乱線除去用のグリッドおよび該グリッドを駆動するためのブッキー機構や、放射線の曝射量を規制するためのフォトタイマ等を備えている。
【０００６】
なお、前記グリッドは、例えば、放射線を吸収する鉛等の物質からなる吸収はくと、放射線を吸収せずに透過させる中間物質（例えば、木、紙、アルミニウム等）からなる透過はくとを交互に配置し、吸収はくにより散乱放射線を吸収除去するように構成されている。この場合、前記グリッドは、通常、前記吸収はくの像による被写体情報の損失を防ぐために、放射線照射中、ブッキー機構によって駆動されることにより動かして使用される。
【０００７】
前記の従来技術に係る画像情報記録読取装置では、読取部を副方向に搬送するための読取部搬送用駆動手段と、前記ブッキー機構に設けられ前記グリッドを駆動するためのグリッド駆動用駆動手段とがそれぞれ別個独立に構成されているのが通常である（例えば、特許文献１参照）。
【０００８】
【特許文献１】
特開２０００−８３９５１号公報
【０００９】
【発明が解決しようとする課題】
しかしながら、前記の従来技術に係る画像情報記録読取装置では、読取部を主方向と略直交する副方向に搬送させる読取部搬送用駆動手段の他に、グリッドを駆動するためのグリッド駆動用駆動手段をブッキー機構に別体で設けているために、装置本体内のスペースが増大して装置全体が大型化するとともに、製造コストが高騰するという問題がある。
【００１０】
本発明は、前記の問題に鑑みてなされたものであり、読取部を副方向に搬送する駆動手段の駆動力をブッキー機構に伝達することにより、装置本体内のスペースを削減して装置全体を小型化するとともに、製造コストを低減することが可能な画像形成装置を提供することを目的とする。
【００１１】
【課題を解決するための手段】
前記の目的を達成するために、本発明は、画像記録担体に対して主方向に光ビームを照射し、前記画像記録担体から画像情報を得る読取部と、該画像記録担体に画像情報を記録する記録部と、前記読取部を前記主方向と略直交する副方向に搬送する搬送部とを有する画像形成装置であって、
前記搬送部に設けられ、前記読取部に対して副方向への搬送力を付与する駆動手段と、
前記駆動手段の駆動力をブッキー機構に対して伝達する駆動力伝達機構と、
を備えることを特徴とする。
【００１２】
この場合、前記駆動力伝達機構を、副方向に変位する読取部に係合することにより、支点を中心として所定角度傾動する傾動部材と、前記傾動部材に連結され該傾動部材の傾動動作をブッキー機構に伝達する連結部材とを含んで構成すると、構造が簡素化されて装置全体を小型化することができる。
【００１３】
本発明によれば、記録部によって画像記録担体に画像情報が記録される際、搬送部に設けられた駆動手段を駆動させることにより、読取部が副方向に沿って搬送される。この場合、例えば、傾動部材等のように読取部に係合する駆動力伝達機構を介して駆動手段の駆動力がブッキー機構に伝達されることにより、散乱線除去用のグリッドが動作される。
【００１４】
このように、本発明では、ブッキー機構専用の駆動手段を設けることがなく、読取部を副方向に搬送する駆動手段の駆動力を駆動力伝達機構を介してブッキー機構に導入することにより、装置本体内のスペースを削減して装置全体を小型化することができる。
【００１５】
さらに、本発明は、画像記録担体に対して主方向に光ビームを照射し、前記画像記録担体から画像情報を得る読取部と、該画像記録担体に画像情報を記録する記録部と、前記読取部を前記主方向と略直交する副方向に搬送する搬送部とを有する画像形成装置であって、
前記搬送部に設けられ、変位部材に対して副方向への搬送力を付与する駆動手段と、
前記変位部材の変位作用下に該変位部材に追従して副方向に沿って変位する読取部と、
前記読取部が所定位置に到達した際、該読取部の変位を規制するストッパ手段と、
前記ストッパ手段によって前記読取部の変位が規制された後、前記変位部材が該読取部から離間する方向に変位することにより、前記駆動手段の駆動力をブッキー機構に対して伝達する駆動力伝達機構と、
を備えることを特徴とする。
【００１６】
この場合、前記駆動力伝達機構を、副方向に変位する変位部材に係合することにより、支点を中心として所定角度傾動する傾動部材と、前記傾動部材に連結され該傾動部材の傾動動作をブッキー機構に伝達する連結部材とを含んで構成すると、構造が簡素化されて装置全体を小型化することができる。
【００１７】
本発明によれば、記録部によって画像記録担体に画像情報が記録される際、搬送部に設けられた駆動手段を駆動させることにより、変位部材が副方向に沿って搬送される。この場合、例えば、傾動部材等のように前記変位部材に係合する駆動力伝達機構を介して駆動手段の駆動力がブッキー機構に伝達されることにより、散乱線除去用のグリッドが動作される。
【００１８】
このように、本発明では、ブッキー機構専用の駆動手段を設けることがなく、変位部材を副方向に搬送する駆動手段の駆動力を駆動力伝達機構を介してブッキー機構に導入することにより、装置本体内のスペースを削減して装置全体を小型化することができる。
【００１９】
【発明の実施の形態】
本発明に係る画像形成装置について好適な実施の形態を挙げ、添付の図面を参照しながら以下詳細に説明する。
【００２０】
図１において参照数字１０は、本発明の実施の形態に係る放射線画像情報記録読取装置を示す。
【００２１】
この放射線画像情報記録読取装置１０は装置本体１４を含み、前記装置本体１４は、ボールねじやシリンダ等の図示しないアクチュエータを介して昇降自在に設けられている。
【００２２】
この装置本体１４は、人体等の被写体Ｈの放射線画像情報を蓄積性蛍光体シートＩＰに一旦記録する記録部２２と、前記蓄積性蛍光体シートＩＰに対して主方向（矢印Ｘ方向）にレーザ光等の励起光Ｌを照射し、放射線Ｓの強度に応じて発光する輝尽発光光Ｒを光電的に読み取る読取部２４と、前記読取部２４を前記主方向と略直交する副方向（矢印Ｙ方向）に搬送する搬送部２６と、前記蓄積性蛍光体シートＩＰに残存している放射線エネルギを放出させる消去光源部２８とを備える。
【００２３】
記録部２２は、放射線Ｓを発生させる放射線源３０と、被写体Ｈを所定位置に保持する放射線透過性の撮影台３２とを備えている。撮影台３２の後方には、フォトタイマ３３と、散乱線除去用のグリッド３４と、前記グリッド３４を矢印Ｘ方向に沿ってそれぞれ所定距離の範囲内で往復動作させるブッキー機構３５（図２参照）とが配置されている。前記グリッド３４のさらに後方には、蓄積性蛍光体シートＩＰが所定の撮影位置に保持されている。
【００２４】
前記ブッキー機構３５は、図２に示されるように、グリッド３４の上辺端部および下辺端部に係合し、該グリッドを矢印Ｘ方向に沿って案内する複数のガイドローラ３７ａ〜３７ｄと、前記グリッド３４の側部から外方に向かって所定長だけ突出し、長孔からなる係合孔３９が形成された突起部４１とを備える。前記係合孔３９には後述するアーム部材４３に連結された伝達シャフト４５が挿通され、前記伝達シャフト４５は係合孔３９に沿って変位可能に設けられる。
【００２５】
なお、前記グリッド３４は、例えば、放射線Ｓを吸収する鉛等の物質からなる吸収はくと、放射線Ｓを吸収せずに透過させる中間物質（例えば、木、紙、アルミニウム等）からなる透過はくとを交互に且つ正確に配置して構成され、被写体Ｈを透過した直接線を通過させ、被写体Ｈから発生した散乱放射線を通過させないようにするものである。
【００２６】
読取部２４は、図１に示されるように、励起系３６と、集光レンズアレイ３８を設けるＣＣＤラインセンサ４０とを備える。励起系３６、集光レンズアレイ３８およびＣＣＤラインセンサ４０は、主方向（矢印Ｘ方向）に延在してスキャナヘッド４２に装着されている。
【００２７】
励起系３６は、主方向（矢印Ｘ方向）に配列される複数個のレーザダイオード４４を備える。レーザダイオード４４は、励起光出射側が蓄積性蛍光体シートＩＰから離間する方向に向かって配置されるとともに、前記レーザダイオード４４から発せられる発散光状態の励起光Ｌが、シリンドリカルミラー４６で反射されて励起光Ｌとして蓄積性蛍光体シートＩＰに対して主方向に向かって線状に照射される。
【００２８】
搬送部２６は、図２に示されるように、装置本体１４の上部側に配置され、駆動手段として機能する回転駆動源（例えば、パルスモータ）５０を備え、この回転駆動源５０から矢印Ｘ方向に延在する回転軸５２の両端には、軸受４９を介して駆動プーリ５４がそれぞれ固定される。各駆動プーリ５４から矢印Ｙ方向に所定間隔離間して従動プーリ５６が配置され、前記駆動プーリ５４と従動プーリ５６との間にベルト５８が懸架される。
【００２９】
ベルト５８には、スキャナヘッド４２が固定されるとともに、このスキャナヘッド４２は、矢印Ｙ方向に延在する一対のガイドレール６０によって矢印Ｙ方向に沿って変位自在に支持されている。前記スキャナヘッド４２の下方側には、前記ベルト５８の周回作用下に、該スキャナヘッド４２と一体的に変位する昇降台４７が設けられる。
【００３０】
また、装置本体１４の下方側には、略鉛直上下方向に沿って変位（昇降）するスキャナヘッド４２を介して前記回転駆動源５０の駆動力を前記ブッキー機構３５に伝達する駆動力伝達機構５１が設けられる。
【００３１】
この駆動力伝達機構５１は、略Ｌ字状からなり、装置本体１４の固定部材５３に軸着されたピン５５を支点として所定角度傾動自在に設けられたアーム部材（傾動部材）４３と、前記アーム部材４３の一端部に連結され、該アーム部材４３の傾動動作をグリッド３４に伝達する伝達シャフト（連結部材）４５とを備える。前記アーム部材４３の他端部には、略水平方向に沿って屈曲し、昇降台４７の底面部に当接する係合部５７が設けられる。
【００３２】
さらに、前記駆動力伝達機構５１は、一端部が前記アーム部材４３に係着され、他端部が固定部材５３に係着されたばね部材５９を有し、前記ばね部材５９の引張力によって前記アーム部材４３は、初期位置において装置本体１４の一端側に引張された状態にある（図３参照）。
【００３３】
この場合、回転駆動源５０の駆動作用下にスキャナヘッド４２および昇降台４７が一体的に下降し、該昇降台４７の底面部がアーム部材４３の係合部５７を下方側に向かって押圧する。従って、アーム部材４３は、ばね部材５９の引張力に打ち勝ってピン５５を支点として矢印Ａ方向に傾動する。この結果、アーム部材４３の一端部に連結された伝達シャフト４５が前記アーム部材４３の傾動動作に伴って略水平方向に沿って変位し、前記伝達シャフト４５が挿通された係合孔３９を介してグリッド３４が矢印Ｘ方向に沿ってスライドする（図４参照）。
【００３４】
消去光源部２８は、蓄積性蛍光体シートＩＰに対して読取部２４を挟んで対向して配置される。消去光源部２８は、蓄積性蛍光体シートＩＰに消去光Ｑを照射して該蓄積性蛍光体シートＩＰに残存している放射線エネルギを放出させる。消去光源部２８は、蓄積性蛍光体シートＩＰの幅方向（矢印Ｘ方向）以上の長さを有する蛍光灯６８を該蓄積性蛍光体シートＩＰの長さ方向（矢印Ｙ方向）に複数個配設し、前記蓄積性蛍光体シートＩＰの全画像領域に消去光Ｑが照射されるように構成されている。
【００３５】
本実施の形態に係る放射線画像情報記録読取装置１０は、基本的には以上のように構成されるものであり、次にその動作並びに作用効果について説明する。
【００３６】
先ず、図１に示されるように、通常撮影モードによる放射線画像情報の記録を行うべく、患者の患部である被写体Ｈが撮影台３２に対応して配置される。この状態で放射線源３０が駆動されると、この放射線源３０から出力された放射線Ｓは、被写体Ｈを透過して蓄積性蛍光体シートＩＰに到達することにより、前記蓄積性蛍光体シートＩＰに放射線画像情報が記録される。
【００３７】
前記放射線源３０が駆動される際あるいはその前に、図示しない電源を付勢すると搬送部２６を構成する回転駆動源５０が駆動される。なお、この場合、読取部２４を構成する励起系３６は、駆動されていない。
【００３８】
前記回転駆動源５０の駆動作用下に回転軸５２を介して駆動プーリ５４が回転すると、この駆動プーリ５４と従動プーリ５６との間に架け渡されているベルト５８の周回走行作用下に、前記ベルト５８に固着されているスキャナヘッド４２および昇降台４７が矢印Ｙ方向に沿って一体的に往復動作する。
【００３９】
図３に示されるように昇降台４７が下降する際、該昇降台４７の底面部がアーム部材４３の係合部５７を下方側に向かって押圧することにより、アーム部材４３は、ばね部材５９の引張力に打ち勝ってピン５５を支点として矢印Ａ方向に傾動する（図４参照）。従って、アーム部材４３の一端部に連結された伝達シャフト４５が前記アーム部材４３の傾動動作に伴って略水平方向に沿って変位し、前記伝達シャフト４５と該伝達シャフト４５が挿通された係合孔３９との係合作用下にグリッド３４が矢印Ｘ方向に沿ってスライドする（図４参照）。
【００４０】
一方、昇降台４７が上昇する際、該昇降台４７の底面部がアーム部材４３の係合部５７から離間し、ばね部材５９の引張力によってアーム部材４３がピン５５を支点として前記矢印Ａと反対方向に傾動して初期位置に復帰する。この結果、アーム部材４３の一端部に連結された伝達シャフト４５が前記アーム部材４３の傾動動作に伴って略水平方向に沿って変位し、前記伝達シャフト４５が挿通された係合孔３９を介してグリッド３４が前記とは反対側の矢印Ｘ方向に沿ってスライドする。なお、蓄積性蛍光体シートＩＰに放射線画像情報が記録された後、搬送部２６を構成する回転駆動源５０が滅勢され、グリッド３４のスライド動作が停止される。
【００４１】
このように、読取部２４を構成するスキャナヘッド４２と一体的に上下方向に沿って往復動作する昇降台４７を利用してアーム部材４３を傾動させ、前記アーム部材４３の傾動動作を駆動力伝達機構５１を介してグリッド３４に伝達して該グリッド３４を矢印Ｘ方向に沿って所定範囲内で往復動作させることにより、放射線源３０から出力された放射線Ｓによって蓄積性蛍光体シートＩＰに放射線画像情報が記録される際、被写体Ｈから発生した散乱線を前記グリッド３４によって好適に除去することができる。
【００４２】
換言すると、放射線源３０から出力された放射線Ｓによって蓄積性蛍光体シートＩＰに放射線画像情報が記録される際、読取部２４を変位させる回転駆動源５０の駆動力を駆動力伝達機構５１を介してグリッド３４に伝達することにより、該グリッド３４を円滑にスライドさせて散乱線を除去することができる。
【００４３】
被写体Ｈの放射線画像情報が蓄積性蛍光体シートＩＰに記録された後、読取部２４を構成する励起系３６が駆動されるとともに、搬送部２６を構成する回転駆動源５０が再び駆動される。励起系３６では、蓄積性蛍光体シートＩＰの主方向（矢印Ｘ方向）に配列されている複数のレーザダイオード４４が駆動され、前記レーザダイオード４４から出力されてシリンドリカルミラー４６で反射された励起光Ｌが、蓄積性蛍光体シートＩＰに矢印Ｘ方向に沿って照射される。
【００４４】
一方、搬送部２６を構成する回転駆動源５０の駆動作用下に、回転軸５２を介して駆動プーリ５４が回転すると、この駆動プーリ５４と従動プーリ５６との間に架け渡されているベルト５８の周回走行作用下に、前記ベルト５８に固着されているスキャナヘッド４２が矢印Ｙ方向に移動する。このため、放射線画像情報が蓄積された蓄積性蛍光体シートＩＰは、励起光Ｌによって２次元的に走査され、この蓄積性蛍光体シートＩＰが前記放射線画像情報に応じた輝尽発光光Ｒを発する。
【００４５】
この輝尽発光光Ｒは、集光レンズアレイ３８を介してＣＣＤラインセンサ４０に入射される。このＣＣＤラインセンサ４０に輝尽発光光Ｒが入射すると、この輝尽発光光Ｒが電気信号に変換されて蓄積性蛍光体シートＩＰの放射線画像情報が光電的に読み取られる。
【００４６】
次いで、放射線画像情報の読み取りが行われた蓄積性蛍光体シートＩＰに対して、消去光源部２８を構成する蛍光灯６８から消去光Ｑが照射される。従って、蓄積性蛍光体シートＩＰに残存する放射線エネルギの放出が行われ、この蓄積性蛍光体シートＩＰは次の撮影に供されることになる。
【００４７】
本実施の形態では、放射線源３０から出力された放射線Ｓによって蓄積性蛍光体シートＩＰに放射線画像情報が記録される際、読取部２４を構成するスキャナヘッド４２と一体的に変位する昇降台４７を利用してアーム部材４３を傾動させ、前記アーム部材４３の傾動動作を駆動力伝達機構５１を介してグリッド３４に伝達して該グリッド３４を矢印Ｘ方向に沿って往復動作させることにより、被写体Ｈから発生した散乱線を前記グリッド３４によって好適に除去することができる。
【００４８】
従って、本実施の形態では、グリッド３４をスライドさせるブッキー機構専用の駆動源を備えることがなく、読取部２４を駆動する単一の回転駆動源５０の駆動力を利用してグリッド３４を矢印Ｘ方向に沿って往復動作させることができる。この結果、本実施の形態では、グリッド３４を駆動させるブッキー機構専用の駆動源が不要となるため、装置本体１４内のスペースを削減して装置全体を小型化するとともに、製造コストを低減することができる。
【００４９】
さらに、本実施の形態では、図５に示されるように、回転駆動源５０の回転速度が一定速度となる読み取り領域の前段階である立ち上がり領域を利用することにより、搬送部２６によって搬送される読取部２４の搬送距離を延長することがないため、装置全体を大型化することを回避することができる。
【００５０】
さらにまた、本実施の形態では、略Ｌ字状に形成されたアーム部材４３のアーム比、すなわち、アーム部材４３を相互に交差する短片部と長片部とによって構成し、短片部および長片部におけるピン５５から端部までの離間距離の比をそれぞれ所望の値に設定することにより、矢印Ｙ方向に対するアーム部材４３の小さな変位量によって矢印Ｘ方向に対するグリッド３４の大きな変位量を得ることができるという利点がある。
【００５１】
次に、本発明の他の実施の形態に係る放射線画像情報記録読取装置７０を図６に示す。
【００５２】
なお、図２に示す前記実施の形態に係る放射線画像情報記録読取装置１０と同一の構成要素には同一の参照符号を付し、その詳細な説明を省略する。
【００５３】
この他の実施の形態に係る放射線画像情報記録読取装置７０では、読取部２４を構成するスキャナヘッド４２がベルト５８に固定されておらず鉛直方向に沿って延在する一対のガイドレール６０によって支持されているのみである。従って、前記スキャナヘッド４２を含む読取部２４は、ガイドレール６０に沿って自由降下可能に設けられている。
【００５４】
また、前記ベルト５８には、所定間隔離間し矢印Ｘ方向に沿って所定長だけ延在する一組の変位部材７４ａ、７４ｂがそれぞれ固定され、一方の変位部材７４ａには、アーム部材４３の係合部５７に当接して押圧する押圧部７２が設けられる。前記一組の変位部材７４ａ、７４ｂは、駆動手段として機能する回転駆動源５０の駆動作用下に周回走行するベルト５８を介して、ガイドレール６０により上下方向に沿って変位自在に設けられている。
【００５５】
この場合、前記変位部材７４ａ、７４ｂはガイドレール６０に沿って摺動するガイドブロック７６を介してスキャナヘッド４２の下方側に配設され、該変位部材７４ａ、７４ｂが下降する際、スキャナヘッド４２は変位部材７４ａ、７４ｂとともに降下し（図７参照）、一方、変位部材７４ａ、７４ｂが上昇する際、スキャナヘッド４２は、ガイドブロック７６を介して変位部材７４ａ、７４ｂと一体的に上昇するように設けられている。従って、前記変位部材７４ａ、７４ｂの変位作用下に、読取部２４は、該変位部材７４ａ、７４ｂに追従して副方向（矢印Ｙ方向）に変位するように設けられている。
【００５６】
さらに、アーム部材４３の僅かに上方には、スキャナヘッド４２が下降した際、昇降台４７の底面部に当接してさらなる下方側に対する変位を規制する一組のストッパ部材（ストッパ手段）７８が装置本体１４に固定される。前記ストッパ部材７８が昇降台４７の底面部に当接する部位には、当接したときの衝撃力を吸収する緩衝部８０が設けられている。
【００５７】
この場合、スキャナヘッド４２がストッパ部材７８によって下方側に対する変位が規制された後、ベルト５８の周回走行作用下に変位部材７４ａ、７４ｂのみがさらに下降し、前記変位部材７４ａの押圧部７２がアーム部材４３の係合部５７に当接して押圧することにより、前記アーム部材４３をピン５５を支点として矢印Ａ方向に所定角度だけ傾動させる。前記アーム部材４３の傾動動作は、伝達シャフト４５を介してグリッド３４に伝達される。
【００５８】
なお、その他の作用効果は、前記実施の形態に係る放射線画像情報記録読取装置１０と同一であるため、その詳細な説明を省略する。
【００５９】
【発明の効果】
本発明によれば、以下の効果が得られる。
【００６０】
すなわち、ブッキー機構専用の駆動手段を設けることがなく、読取部または変位部材を副方向に搬送する駆動手段の駆動力を駆動力伝達機構を介してブッキー機構に導入することにより、装置本体内のスペースを削減して装置全体を小型化するとともに、製造コストを低減することができる。
【図面の簡単な説明】
【図１】本発明の実施の形態に係る放射線画像情報記録読取装置の概略構造図である。
【図２】図１に示す放射線画像情報記録読取装置を構成する搬送部および読取部を含む部分拡大斜視図である。
【図３】読取部が下降して昇降台がアーム部材に当接する前の状態を示す動作説明図である。
【図４】読取部が下降して昇降台がアーム部材に当接した状態を示す動作説明図である。
【図５】回転駆動源の回転速度と時間との関係を示す特性図である。
【図６】本発明の他の実施の形態に係る放射線画像情報記録読取装置の概略構造図である。
【図７】読取部が変位部材とともに下降して前記変位部材がアーム部材に当接する前の状態を示す動作説明図である。
【図８】昇降台がストッパ部材に当接して変位が規制された後、変位部材がアーム部材に当接した状態を示す動作説明図である。
【符号の説明】
１０、７０…放射線画像情報記録読取装置
１４…装置本体　　　　　　　　　２２…記録部
２４…読取部　　　　　　　　　　２６…搬送部
２８…消去光源部　　　　　　　　３０…放射線源
３４…グリッド　　　　　　　　　３５…ブッキー機構
３７ａ〜３７ｄ…ガイドローラ　　３９…係合孔
４１…突起部　　　　　　　　　　４２…スキャナヘッド
４３…アーム部材　　　　　　　　４５…伝達シャフト
４７…昇降台　　　　　　　　　　５０…回転駆動源
５１…駆動力伝達機構　　　　　　５３…固定部材
５５…ピン　　　　　　　　　　　５８…ベルト
５９…ばね部材　　　　　　　　　７４ａ、７４ｂ…変位部材
７８…ストッパ部材
【図１】
2004117951.tif 000003
【図２】
2004117951.tif 000004
【図３】
2004117951.tif 000005
【図４】
2004117951.tif 000006
【図５】
2004117951.tif 000007
【図６】
2004117951.tif 000008
【図７】
2004117951.tif 000009
【図８】
2004117951.tif 000010